(57)【要約】【課題】  画像記録装置の盗難または紛失時、メモリカードに記録した画像の流出を防止すると同時に、容易に画像の受け渡しが行えるようにする。【解決手段】  デジタルカメラ１０は、撮像部２０、画像処理部２１、ＪＰＥＧ処理部２５によって、ＪＰＥＧフォーマットの圧縮画像データを得る。暗号化の設定が有る場合は、指定したパスワードに基づいて、ＺＩＰ処理部２５によって、前記圧縮画像データに暗号化を施し、メモリカード部２６に装着されたメモリカードに圧縮（ＺＩＰ形式）フォルダを作成して、撮影画像を記録するので、撮影直後からセキュリティが保たれる。暗号化の設定が無い場合は、ＪＰＥＧフォーマットの圧縮画像データは、そのままメモリカードに記録される。暗号化されている圧縮フォルダは、汎用のＰＣ上で、パスワードのみで暗号の解除が可能である。【選択図】  図１
2009200577.tif 000002
【特許請求の範囲】
【請求項１】
固体撮像素子の出力するアナログ画像信号から得られたデジタル画像データを、画像圧縮を用いて圧縮し、圧縮画像データとして出力する画像圧縮手段と、前記圧縮画像データを暗号化して暗号化画像データとして出力する暗号化手段と、前記暗号化画像データをデータファイルとして着脱可能な記録媒体に記録するファイル記録手段と、前記圧縮画像データを記憶する揮発性メモリから構成されるメモリ部とを備え、前記暗号化手段はパスワードに基づいてＺＩＰ圧縮処理を行い、前記ファイル記録手段は前記記録媒体内にＺＩＰ形式の圧縮フォルダを生成して暗号化したファイルを記録することを特徴とする画像記録装置。
【請求項２】
請求項１記載の画像記録装置であって、さらに、前記デジタル画像データを表示する画像表示手段を備えており、前記画像表示手段によって、前記記録媒体内のＺＩＰ形式の圧縮フォルダの中のファイルを選択して画像を再生する際、前記メモリ部に前記ファイルに対応する暗号化前の圧縮画像データが存在する場合、前記メモリ部の前記圧縮画像データを使用して、画像を再生することを特徴とする画像記録装置。
【発明の詳細な説明】
【技術分野】
【０００１】
本発明は、デジタルカメラ等の画像記録装置、特に、撮影画像をパスワードによって暗号化してメモリカードに記録する画像記録装置に関する。
【背景技術】
【０００２】
デジタルカメラ等の画像記録装置では、通常、撮影した画像をファイルとして、そのデジタルカメラに設けられているメモリスロットに挿入したメモリカードに記録する。そして、このデジタルカメラをＰＣ（パーソナルコンピュータ）にＵＳＢインタフェースを介して接続したり、メモリスロットからメモリカードを抜いて、ＰＣに組み込まれているカードリーダに装着することにより、画像ファイルをＰＣ上で利用するような構成を有している。そのため、デジタルカメラまたは画像が記録されたメモリカードの盗難時または紛失時には、画像データが流出する恐れが有り、その対策が求められている。
【０００３】
その一例として、デジタルカメラ固有の情報として、不良画素を特定する補正情報を適用して、画像を暗号化してメモリカードに記録し、ＰＣを介して画像を閲覧する場合は、閲覧を許可するＰＣに所定のアプリケーションを組み込んでおくようにしているものがある（特許文献１参照）。
【特許文献１】特開２００３−３３３５１９号公報
【発明の開示】
【発明が解決しようとする課題】
【０００４】
しかしながら、先述のデジタルカメラにおいては、閲覧を許可するＰＣに所定のアプリケーションを組み込むようにしており、より高いセキュリティ性を保つことが可能な一方で、メモリカードを遠隔地に送って画像を閲覧をする場合など、このアプリケーションも同時に提供する必要があり、これは利便性の低下を伴っていると言える。
【０００５】
また、当然のことながら、通常のデジタルカメラのように、暗号化機能を有さないものであれば、メモリカードの輸送中の盗難または紛失に対処するために、前もって画像ファイルの暗号化作業をＰＣ上で行う必要がある。この場合、撮影直後から暗号化作業の直前まで、デジタルカメラおよびメモリカードの盗難または紛失に十分留意する必要がある。
【課題を解決するための手段】
【０００６】
請求項１に記載の画像記録装置は、固体撮像素子の出力するアナログ画像信号から得られたデジタル画像データを、画像圧縮を用いて圧縮し、圧縮画像データとして出力する画像圧縮手段と、前記圧縮画像データを暗号化して暗号化画像データとして出力する暗号化手段と、前記暗号化画像データをデータファイルとして着脱可能な記録媒体に記録するファイル記録手段と、前記圧縮画像データを記憶する揮発性メモリから構成されるメモリ部とを備え、前記暗号化手段はパスワードに基づいてＺＩＰ圧縮処理を行い、前記ファイル記録手段は前記記録媒体内にＺＩＰ形式の圧縮フォルダを生成して暗号化したファイルを記録することを特徴とする。
【０００７】
請求項２記載の画像記録装置は、さらに、前記デジタル画像データを表示する画像表示手段を備えており、前記画像表示手段によって、前記記録媒体内のＺＩＰ形式の圧縮フォルダの中のファイルを選択して画像を再生する際、前記メモリ部に前記ファイルに対応する暗号化前の圧縮画像データが存在する場合、前記メモリ部の前記圧縮画像データを使用して、画像を再生することを特徴とする。
【発明の効果】
【０００８】
本発明によれば、撮影した画像を、画像記録装置の内部で直接、「圧縮（ＺＩＰ形式）フォルダ」の形式にしてメモリカードに記録できるため、画像データの流出の危険性を大幅に低下させることができる。このデータの形式は、現在、ＰＣ用のＯＳ（オペレーティングシステム）として、最も普及しているとされるマイクロソフト社のＷｉｎｄｏｗｓ  ＸＰ（登録商標）およびＷｉｎｄｏｗｓ  Ｖｉｓｔａ（登録商標）に標準装備されているファイルの圧縮・解凍ツールと互換性があるため、多くの環境でパスワードだけで画像の暗号を解除でき、利便性を大いに高めることができる。
【０００９】
さらに、本画像記録装置で撮影した画像を本体に備えた表示部で再生する場合で、かつその画像がメモリカードに暗号化されて記録されている場合、本画像記録装置内部の揮発性メモリに暗号化前の圧縮画像データが存在していれば、この圧縮画像データを用いて画像を再生するようにしたため、画像が速やかに閲覧できる。この構成は、同時に、電源オフで揮発性メモリ上のデータは失われるため、セキュリティ的にも好適である。
【発明を実施するための最良の形態】
【００１０】
以下、本発明の画像記録装置を添付図面に示す好適実施例に基づいて詳細に説明する。なお、本実施例では代表的に、本発明の画像記録装置をデジタルカメラに適用した場合について説明する。
【００１１】
図１は、デジタルカメラの構成例を示すブロック図である。同図に示すように、このデジタルカメラ１０は、撮像部２０、画像処理部２１、メモリ部２２、表示部２３、ＪＰＥＧ処理部２４、ＺＩＰ処理部２５、メモリカード２６、ＣＰＵ２７、操作部２８、バス３０を有している。
【００１２】
撮像部２０は、撮像光学系、ＣＣＤイメージセンサなどの固体撮像素子および駆動回路、アンプ、Ａ／Ｄ変換器等（図示せず）から構成されている。ＣＣＤイメージセンサは２次元ＣＣＤセンサであり、入力光によって蓄積された電荷を、駆動回路からの駆動信号によって出力する。この出力信号は、さらにアンプによって増幅され、Ａ／Ｄ変換器によって、デジタル化されて撮像部から出力されるように構成されている。
【００１３】
画像処理部２１は、撮像部２０から転送されるデジタル信号を入力し、ノイズ除去処理、鮮鋭化処理、濃度補正処理、色信号処理等のデジタル画像処理を施して、同期信号と共にデジタル画像データとして出力する。
【００１４】
メモリ部２２は、大容量のＳＤＲＡＭ等の揮発性メモリから構成されており、ＣＰＵ２７のワークメモリであると同時に、画像処理部２１が出力したデジタル画像データ等の記憶領域としても使用される。
【００１５】
表示部２３は、図示しないＬＣＤ（液晶ディスプレイ）を備え、入力されたデジタル画像データ信号に基づいて、撮影画像のプレビュー表示や、記録画像の再生表示を行う。ＬＣＤは、パスワード設定の際の文字・数字情報や現在の撮影可能枚数、撮影日時など各種データを単独で、または画像と重ね合わせて表示することもできる。
【００１６】
ＪＰＥＧ処理部２４は、先述のデジタル画像データに対し、ＪＰＥＧ（Ｊｏｉｎｔ  Ｐｈｏｔｏｇｒａｐｈｉｃ  Ｅｘｐｅｒｔｓ  Ｇｒｏｕｐ）フォーマットに従って圧縮処理を行い、圧縮画像データを生成する。なお、ＪＰＥＧとは、静止画像のデジタルデータを圧縮する方式の１つであり、一般的にはＤＣＴ（離散コサイン変換）を用いて非可逆圧縮を行うものであり、ＪＰＥＧ処理部２４もこれと同様に処理を行う。また、圧縮画像データを伸長して元のデジタル画像データに戻す処理も行う。
【００１７】
ＺＩＰ処理部２５は、圧縮画像データに対し、指定されたパスワードに従って、ＺＩＰ圧縮処理を行う。なお、ＺＩＰとはファイル圧縮形式の１つであり、可逆圧縮を行うものとして知られており、ＺＩＰ処理部３２は、Ｗｉｎｄｏｗｓ  ＸＰおよびＷｉｎｄｏｗｓ  Ｖｉｓｔａに標準装備の「圧縮（ＺＩＰ形式）フォルダ」で使用されるものと互換性の有るファイルを生成するように構成されている。なお、ＺＩＰ圧縮処理にはパスワードは必ずしも必要ではないが、本実施例では、データ量の削減でなく、暗号化を目的として、パスワード付きのＺＩＰ圧縮処理を使用する。実際、ＪＰＥＧフォーマット後の圧縮画像データにＺＩＰ圧縮処理を施してもファイルサイズはほとんど小さくならない。ＺＩＰ処理部２５は、ＺＩＰ圧縮されたデータを伸長して元のデータに戻す処理も行う。なお、ＺＩＰ圧縮のアルゴリズムの詳細については、例えばｈｔｔｐ：／／ｗｗｗ．ｐｋｗａｒｅ．ｃｏｍ／ｄｏｃｕｍｅｎｔｓ／ｃａｓｅｓｔｕｄｉｅｓ／ＡＰＰＮＯＴＥ．ＴＸＴに開示されている。
【００１８】
メモリカード部２６は、ＳＤカード、コンパクトフラッシュ（登録商標）等の着脱可能なメモリカードをメモリスロット（図示せず）を通して装着し、ファイルの記録を行う。メモリカードは、フラッシュメモリなどの不揮発性メモリから構成されており、ＰＣに組み込まれている、または外付けのカードリーダを介して読み書きが可能である。
【００１９】
ＣＰＵ２７は、ＣＰＵコアの他に本デジタルカメラ１０の動作を制御するためのシステムプログラムおよびデータテーブル等を保持するためのフラッシュメモリ等（図示せず）を内蔵しており、メモリ部２２にアクセスする。また、シャッタボタンなどを含む操作部２８からの操作信号を入力し、撮像部２０、画像処理部２１、表示部２３、ＪＰＥＧ処理部２４、ＺＩＰ処理部２５、メモリカード部２６の各部との入出力および各部間のデータ転送処理の制御をバス３０を使用して行う。
【００２０】
操作部２８は、電源スイッチ、シャッタボタン、メニューダイヤル、矢印キー等（図示せず）を備えており、ユーザが操作したボタン等の情報を入力して、ＣＰＵ２７に転送する。メニューダイヤルは、例えば回転式のスイッチで、撮影を行うための撮影モード、撮影した画像を確認表示するための再生モード、撮影条件やパスワード等を設定するための設定モード等を切り替えるものとする。矢印キーは、再生モード時に表示する画像の選択を行うために使用したり、パスワードの設定を行うために表示部に表示された文字を選択するために使用する。なお、パスワードは、印刷された１次元または２次元のバーコードや手書き文字を撮影してＣＰＵ２７がその情報を認識することによって、設定または入力するようにしてもよい。
【００２１】
このように構成されるデジタルカメラ１０の動作を図２に示すフローチャートに従って以下に説明する。
【００２２】
ユーザは、操作部２８の電源スイッチによって、デジタルカメラ１０の電源をオンにする（Ｓ１０１）。デジタルカメラ１０で撮影を行う前に、まず操作部２８を操作して、画像を暗号化して記憶する際のパスワードの設定を行う。具体的には、メニューダイヤルを操作して、設定モードを選択する（Ｓ１０２）。すると、表示部２３の表示を確認しながら、操作部２８の矢印キーを操作することによって、アルファベットや数字が選択できるようになっており、所定の文字数からなるパスワードを設定する（Ｓ１０３）。なお、表示部２３におけるパスワードの表示は、他人の覗き見によるパスワードの漏洩を防ぐため、設定後、短時間で消えるようになっている。
【００２３】
なお、決定したパスワードはＣＰＵ２７内部のフラッシュメモリに記録保存されるようになっており、撮影画像のため、使用されることになるが、パスワードが保存されている以上、毎回設定する必要は無い。また、パスワードを設定後、これから撮影する画像について暗号化が必要か否かを設定する（Ｓ１０４）。ここでは、まず暗号化不要を選択したこととする。
【００２４】
次に、メニューダイヤルを操作して撮影モードを選択する（Ｓ１０５）。撮影モードに入ると、撮像部２０で撮影された画像に基づくデジタル信号は、画像処理部２１へ転送され、ノイズ除去処理、鮮鋭化処理、濃度補正処理、色信号処理等のデジタル画像処理を施して、同期信号と共にデジタル画像データとして出力され、非圧縮のデジタル画像データとなり、メモリ部２２の所定の領域に転送されて格納される。
【００２５】
また、メモリ部２２内のこのデジタル画像データは、表示部２３に送られることによりＬＣＤに表示される。撮影モード中は、撮像部２０から画像処理部２１、メモリ部２２、表示部２３への画像信号の転送が繰り返し行われるため、ＬＣＤ上に画像がプレビューとしてほぼ動画的に表示される。なお、このプレビュー表示中の画像は、メモリカード上に記録されるものでなく、画像処理部での画像処理は、ユーザが撮影対象を適切に捉えているかどうかを確認する程度で十分であるので、処理速度を優先して簡略化したもの、またＬＣＤの解像度に対応した低解像度のものでも構わない。
【００２６】
ユーザがＬＣＤを確認しながら撮影対象を捉え、シャッターボタンを押すことにより、撮影が実行される（Ｓ１０６）。これによって、撮像部２０で撮影された信号は、改めて画像処理部２１へ転送され、ノイズ除去、色変換等の処理が行われて、非圧縮のデジタル画像データとなり、さらにメモリ部２２の所定の領域に転送されて格納される（Ｓ１０７）。また、ユーザの撮影画像確認のため、ＬＣＤにはこの画像が一定時間、継続表示される。
【００２７】
それから、メモリ部内に格納されている画像データはＪＰＥＧ処理部２４によって、ＪＰＥＧフォーマットである圧縮画像データに変換され、メモリ部２２の別の位置にある格納領域に格納されるものとする（Ｓ１０８）。なお、この格納領域は、所定の大きさを有して、複数のデータが格納可能であり、撮影を繰り返すことにより、最も古いデータが記録されている部分から順次上書きして再利用することとする。ここで、ＣＰＵ２７は、データの格納について、メモリカードに記録されるファイル名と関連付けて、メモリ部のどのアドレスにいかなるサイズでデータが格納されているかを管理している。
【００２８】
なお、図１でＪＰＥＧ処理部２４はＣＰＵ２７とは別のブロックとして構成されているが、ＣＰＵ２７が自分でＪＰＥＧ処理を行うようにしてもよい。
【００２９】
ここで、以前、すなわちＳ１０４にて、このデジタルカメラ１０が暗号化有りに設定されているかどうかを参照する（Ｓ１０９）。もし、暗号化有りに設定されていないときは、撮影画像は、通常のデジタルカメラと同様に、メモリカード部２６のメモリカードにＪＰＥＧフォーマットのファイルとして記録が行われる（Ｓ１１１）。
【００３０】
一方、暗号化有りに設定されているときは、ＪＰＥＧフォーマットで格納されている画像データに対し、さらにＣＰＵ２７内部のフラッシュメモリに格納されたパスワードに基づいて、ＺＩＰ処理が施され（Ｓ１１０）、メモリカードにはＺＩＰ圧縮されたファイルとして格納が行われる（Ｓ１１１）。ＪＰＥＧ処理部２４の場合と同様に、ＺＩＰ処理部２５はＣＰＵ２７とは別のブロックとして構成されているが、ＣＰＵ２７が自分でＺＩＰ圧縮処理を行ってもよい。
【００３１】
なお、デジタルカメラ１０において、設定モードを使用して、暗号化の有無を設定するとしたが、より簡便な動作を行うため、操作部２８にシャッタボタンを２個設けて、どちらのボタンを押すかで、暗号化有りまたは無しの記録を切り替えるようにしてもよい。
【００３２】
ここで、メモリカード内部のファイル構造を図３に示す。メモリカードは通常のＰＣからも認識可能なように汎用的なＦＡＴファイルシステムでフォーマットされているものとする。
【００３３】
本デジタルカメラ１０において、撮影を開始すると、フォーマット直後のメモリカードでは、ルート（￥）の下に、ＮＯＣＲＹＰＴおよびＣＲＹＰＴの２つのフォルダが作成される。もし、これらのフォルダが既に存在しているならば、新たには作成されない。
【００３４】
まず、暗号化を行わないように設定して撮影を行うと、ＮＯＣＲＹＰＴの下に圧縮されていない普通のフォルダである００１ＦＯＬＤＥＲが作成され、さらに００１ＦＯＬＤＥＲの下にＪＰＥＧフォーマットの画像ファイルＰ００１０００１．ＪＰＧが記録される。そして、撮影を繰り返すと、メモリカードに空き領域が確保されている限り、画像ファイルがこのフォルダにさらに順番にＰ００１０００２．ＪＰＧ，Ｐ００１０００３．ＪＰＧとファイル名を変えて記録される。仮に、ファイル名がＰ００１９９９９．ＪＰＧまで到達すると、次にフォルダＮＯＣＲＹＰＴの下に００２ＦＯＬＤＥＲが作成され、同様にＰ００２０００１．ＪＰＧ、Ｐ００２０００２．ＪＰＧ，Ｐ００２０００３．ＪＰＧと記録が行われる。
【００３５】
ここで、ＮＯＣＲＹＰＴの下の００１ＦＯＬＤＥＲの下のＰ００１０００３．ＪＰＧを記録した後で、撮影画像を暗号化して記録するようにデジタルカメラ１０の設定を変更したとする。それから撮影を行うと、今度はＣＲＹＰＴの下に圧縮フォルダ００１ＦＯＬＤＥＲ．ＺＩＰが作成され、さらにこの圧縮フォルダ００１ＦＯＬＤＥＲ．ＺＩＰの中にファイルＰ００１０００４．ＪＰＧが記録される。以後、撮影を繰り返すと、００１ＦＯＬＤＥＲ．ＺＩＰ内に、Ｐ００１０００５．ＪＰＧ、Ｐ００１０００６．ＪＰＧ、．．．と同じ圧縮フォルダ内に格納が行われる。
【００３６】
ところで、こうして作成された圧縮フォルダの内部に格納されたファイルを、Ｗｉｎｄｏｗｓ  ＸＰまたはＷｉｎｄｏｗｓ  ＶｉｓｔａがＯＳとしてインストールされたＰＣ上で閲覧するには、そのファイルを開こうとしたときに、パスワードの入力を求められるので、これに従って記録時のパスワードを入力するだけでよい。なお、それぞれのファイル（Ｐ００１０００４．ＪＰＧ、Ｐ００１０００５．ＪＰＧ、Ｐ００１０００６．ＪＰＧ、．．．）が、それぞれ１つの圧縮フォルダに１つずつ含まれるように圧縮フォルダを個別に作成しても、もちろん構わない。
【００３７】
なお、暗号化されているファイルを解凍したとき、暗号化されずに記録されたファイルと同一のファイル名とならないように、ここでは両者を合わせて連番でファイル名を割り付けているが、それぞれ個別に連番としてもよい。ＣＲＹＰＴの下の００１ＦＯＬＤＥＲの下のファイルがＰ００１９９９９．ＪＰＧに達すると、次に００２ＦＯＬＤＥＲ．ＺＩＰが作成され、００１ＦＯＬＤＥＲ．ＺＩＰのフォルダの場合と同様に記録が行われる。
【００３８】
さて、フォーマット後のメモリカードに対し、画像１０枚を、暗号化有りとして、第１，２，３，７，８枚目の画像を撮影し、暗号化無しで、第４，５，６，９，１０枚目の画像を撮影を行ったものとする。すると、メモリカードの内部は、例えば、図４に示されるようにファイルが格納される。
【００３９】
ここで、画像の再生の際の動作を図５に示すフローチャートに従って以下に説明する。デジタルカメラのモードを撮影モード（Ｓ２０１）から再生モード（Ｓ２０２）に変更する。すると、まず、直近の撮影画像として、１０枚目の画像が表示され、矢印キーを操作することにより（Ｓ２０３）、メモリカード内の撮影した画像を選択的に表示することができる（Ｓ２０４）。
【００４０】
具体的には、メモリカード内のファイルを検索し、選択されているファイルに暗号化が施されているかどうかを判断する（Ｓ２０５）。ファイルがＺＩＰ圧縮処理されていない場合は、ＪＰＥＧフォーマットに基づく圧縮画像データをメモリ部２２に転送し（Ｓ２０８）、それから、ＪＰＥＧ処理部２４によって、非圧縮形式のデジタル画像データに展開する（Ｓ２１０）。展開されたデジタル画像データは、表示部２３によって、ＬＣＤに表示される（Ｓ２１１）。
【００４１】
一方、Ｓ２０５で、選択されているファイルに暗号化が施されている場合は、まず、メモリ部２２に対応するＪＰＥＧフォーマットによる圧縮画像データが残っているかどうかを判断する（Ｓ２０６）。メモリ部のＳＤＲＡＭには、ＣＰＵ２７のワーク領域、非圧縮のデジタル画像データの格納領域、圧縮画像データの格納領域、暗号化画像データの格納領域等が、図６のメモリマップに示されるように設けられている。
【００４２】
現在、１０枚目の画像を撮影した時点で、１、２枚目の画像データが、それぞれ９、１０枚目の画像データによって上書き消去され、３〜１０枚目の画像データが残っているものとする。そこで、もし選択されている画像がこの中に残っているならば、このデータから非圧縮形式のデジタル画像データに展開する。
【００４３】
もし、選択されているファイルに対応するデータがメモリ部２２に残っていないならば、メモリカードからメモリ部２２に暗号化されているデータを転送する（Ｓ２０７）。そして、さらに、暗号化解除を行い、ＪＰＥＧフォーマットの元の圧縮画像データに戻すものとする（Ｓ２０９）。それから、暗号化されていない画像の場合と同様に、ＪＰＥＧ処理部２４によって、非圧縮形式のデジタル画像データに展開する（Ｓ２１０）。復元された画像データは、表示部２３によって、ＬＣＤに表示される（Ｓ２１１）。
【００４４】
このように、メモリ部２２のＳＤＲＡＭにＺＩＰ処理が施されていない圧縮画像データが残っていれば、こちらを参照するようにすると、ＺＩＰ処理されたデータの暗号解除処理が不要となるので、スムーズに画像の閲覧が行え好適である。この場合、ＳＤＲＡＭ上の画像データは電源オフで消滅するため、セキュリティ的にも好適である。
【００４５】
なお、デジタルカメラでは、非使用時の余分なバッテリーの消耗を防ぐために、通常、最後の操作時から数分程度の比較的短い時間で電源を自動的にオフにする機能を有するのが普通である。そこで、本実施例におけるデジタルカメラの場合、ＳＤＲＡＭについては電源オフ時でも、上記の閲覧操作のため、しばらくは通電を維持するような構成にしてもよい。
【００４６】
ところで、本デジタルカメラ１０では、暗号化されて記録されている画像について、パスワードの入力を求めずに、表示部２３においては表示可能としている。これは、表示部２３のＬＣＤは低解像度のものであり、ここからの画像の流出は考慮していないからである。よって、もし、ＬＣＤの解像度が高ければ、暗号化した画像については、撮影者のみが判断程度できる程度にモザイクを掛けるなどして保護するようにしてもよい。もちろん、ＺＩＰ処理の暗号解除処理の段階で、再生のため、パスワードの入力を必要とするような仕様にすることも当然可能である。
【００４７】
さらに、図３では、ＣＲＹＰＴフォルダは１つしか無いが、例えばＣＲＹＰＴ０、ＣＲＹＰＴ１と複数のフォルダを作成するようにして、それぞれの下に圧縮フォルダを格納するようにしてもよい。この場合、それぞれのフォルダに別々のパスワードを設定できるようにし、１台のデジタルカメラを複数の人間で共有しつつ、それぞれが秘匿すべき画像を保有できるようにできるようにもできる。
【産業上の利用可能性】
【００４８】
本発明の活用例として、例えば、デジタルカメラだけでなく、画像の記録を行うことができる他の電子機器にも適用することができる。
【図面の簡単な説明】
【００４９】
【図１】本実施の形態に係るデジタルカメラの制御ブロック図である。
【図２】本実施の形態に係るデジタルカメラの撮影に関する処理フローチャートである。
【図３】本実施の形態に係るデジタルカメラに装着されるメモリカードのフォルダ構造を示す図である。
【図４】本実施の形態に係るデジタルカメラに装着されるメモリカードのフォルダの一例を示す図である。
【図５】本実施の形態に係るデジタルカメラの再生に関する処理フローチャートである。
【図６】本実施の形態に係るデジタルカメラのメモリ部のメモリマップを示す図である。
【符号の説明】
【００５０】
１０  デジタルカメラ、２０  撮像部、２１  画像処理部、２２  メモリ部、２３  表示部、２４  ＪＰＥＧ処理部、  ２５  ＺＩＰ処理部、２６  メモリカード部、２７  ＣＰＵ、  ２８  操作部、  ３０  バス
【図１】
2009200577.tif 000003
【図２】
2009200577.tif 000004
【図３】
2009200577.tif 000005
【図４】
2009200577.tif 000006
【図５】
2009200577.tif 000007
【図６】
2009200577.tif 000008